(57)【要約】【課題】作動音に起因して使用者に与える不快感を的確に低減することのできる電気かみそりを提供する。【解決手段】電気かみそり１は、複数の刃片３６が幅方向Ｙに沿って列設される内刃部３５と、内刃部３５をその外側から覆うように設けられる外刃部３１と、内刃部３５を外刃部３１に向けて付勢するばね３２と、下側から内刃部３５を所定の自由度をもって揺動可能に支持する支持部３３と、支持部３３を介して内刃部３５を幅方向Ｙに往復動させるリニアモータ７とを備える。また、内刃部３５の幅方向Ｙにおける両端に刃片を設けない欠刃部３７が形成されている。【選択図】図２
2012065867.tif 000002
【特許請求の範囲】
【請求項１】
複数の刃片が所定方向に沿って列設される内刃部と、前記内刃部をその外側から覆うように設けられる外刃部と、前記内刃部を前記外刃部に向けて付勢する付勢部と、前記内刃部を挟んで前記外刃部とは反対側から同内刃部を所定の自由度をもって揺動可能に支持する支持部と、前記支持部を介して前記内刃部を前記所定方向に往復動させる駆動部とを備える電気かみそりにおいて、
前記内刃部及び前記外刃部の少なくとも一方に、前記支持部により許容される前記内刃部の揺動に起因して前記内刃部と前記外刃部とが局所的に干渉する場合に生じる干渉音の圧力を低減する音圧低減部が形成されてなる
ことを特徴とする電気かみそり。
【請求項２】
請求項１に記載の電気かみそりにおいて、
前記支持部は前記所定方向における前記内刃部の中央位置にて同内刃部を支持してなる
ことを特徴とする電気かみそり。
【請求項３】
請求項１又は請求項２に記載の電気かみそりにおいて、
前記音圧低減部は、前記内刃部及び外刃部の少なくとも一方に形成されて前記外刃部に対する前記内刃部の干渉を逃がす逃がし部とされてなる
ことを特徴とする電気かみそり。
【請求項４】
請求項３に記載の電気かみそりにおいて、
前記逃がし部は、前記内刃部の前記所定方向における一端に形成されて前記外刃部の内周から離間する方向に偏倚してなる
ことを特徴とする電気かみそり。
【請求項５】
請求項４に記載の電気かみそりにおいて、
前記内刃部は、前記複数の刃片が前記所定方向において互いに等距離間隔にて設けられるとともに、その一端に位置する刃片の同所定方向における幅が他の刃片に比べて小さくされるものであり、
前記逃がし部は、該一端に位置する刃片により構成されてなる
ことを特徴とする電気かみそり。
【請求項６】
請求項４又は請求項５のいずれか一項に記載の電気かみそりにおいて、
前記外刃部の内周及び前記内刃部の外周は前記所定方向において湾曲した形状を有するとともに、前記外刃部の内周の曲率半径は前記内刃部の外周の曲率半径よりも大きくされるものであり、
前記内刃部は、前記所定方向における一端を含む外周の曲率半径が中央部を含む他の外周の曲率半径よりも小さくされるものであり、
前記逃がし部は、該一端を含む外周により構成されてなる
ことを特徴とする電気かみそり。
【請求項７】
請求項４〜請求項６のいずれか一項に記載の電気かみそりにおいて、
前記逃がし部は、前記外刃部の内周であって前記内刃部の前記所定方向における端部に対応する部位に形成されて前記内刃部の外周から離間する方向に偏倚してなる
ことを特徴とする電気かみそり。
【請求項８】
請求項１〜請求項７のいずれか一項に記載の電気かみそりにおいて、
前記音圧低減部は、前記内刃部及び外刃部の少なくとも一方において前記外刃部或いは前記内刃部が干渉する部位に形成されて該干渉による衝撃力を吸収する吸収部とされてなる
ことを特徴とする電気かみそり。
【請求項９】
請求項８のいずれか一項に記載の電気かみそりにおいて、
前記吸収部は、前記内刃部の前記所定方向における一端が他の部位に比べて低剛性の材料にて形成されてなる
ことを特徴とする電気かみそり。
【請求項１０】
請求項９に記載の電気かみそりにおいて、
前記内刃部は、前記複数の刃片のうち前記所定方向における一端に位置する刃片が他の刃片に比べて低剛性の材料にて形成されるものであり、
前記吸収部は、該一端に位置する刃片により構成されてなる
ことを特徴とする電気かみそり。
【請求項１１】
請求項８〜請求項１０のいずれか一項に記載の電気かみそりにおいて、
前記吸収部は、前記外刃部の内周において前記内刃部の前記所定方向における一端に対応する部位が他の部位に比べて低剛性の材料にて形成されてなる
ことを特徴とする電気かみそり。
【請求項１２】
請求項１１に記載の電気かみそりにおいて、
前記外刃部は、その内周において前記内刃部の前記所定方向における端部に対応する部位に凹部が形成される外刃部本体と、同外刃部本体に比べて低剛性の材料により形成されて同凹部内に設けられる低剛性部とを有するものであり、
前記吸収部は、前記低剛性部により構成されてなる
ことを特徴とする電気かみそり。
【請求項１３】
請求項１〜請求項１２のいずれか一項に記載の電気かみそりにおいて、
前記音圧低減部は、前記内刃部及び外刃部の少なくとも一方に設けられて前記内刃部と前記外刃部との干渉に伴い生じる振動の伝播を制限する制振部とされてなる
ことを特徴とする電気かみそり。
【請求項１４】
請求項１３に記載の電気かみそりにおいて、
前記制振部は、前記内刃部に設けられる部材であって同内刃部に比べて低剛性の材料にて形成されてなる
ことを特徴とする電気かみそり。
【請求項１５】
請求項１４に記載の電気かみそりにおいて、
前記内刃部は、前記複数の刃片のうち前記所定方向における一端に位置する刃片に比べて低剛性の部材が同刃片に連結されるものであり、前記制振部は、該一端に位置する刃片に連結される低剛性部材により構成されてなる
ことを特徴とする電気かみそり。
【請求項１６】
請求項１３〜請求項１５のいずれか一項に記載の電気かみそりにおいて、
前記制振部は、前記外刃部に設けられてなる部材であって同外刃部に比べて低剛性の材料にて形成されてなる
ことを特徴とする電気かみそり。
【発明の詳細な説明】
【技術分野】
【０００１】
本発明は、往復動式の電気かみそりに関する。
【背景技術】
【０００２】
従来、この種の電気かみそりとしては、例えば特許文献１に記載のものがある。特許文献１に記載の電気かみそりも含めて従来一般の電気かみそりは、略Ｕ字状をなす複数の刃片が所定方向に沿って列設される内刃部と、内刃部をその外側から覆うように設けられる外刃部と、上記内刃部を上記所定方向に往復動させる駆動部とを備えている。そして、外刃部を通じてその内部に導入された髭は、同外刃部と内刃部を構成する刃片の刃先とにより挟み込まれることにより切断される。
【０００３】
ここで、こうした電気かみそりにあっては、ばね等により内刃部を外刃部に向けて付勢して内刃部の外周と外刃部の内周とを近接した状態に維持することで、より短い髭の切断を可能としている。またこれに併せて、駆動部と内刃部との間には、駆動部に連結されるとともに、同内刃部を挟んで上記外刃部とは反対側を所定の自由度をもって揺動可能に支持する支持部が設けられている。これにより、外刃部の内周に対して内刃部の外周が片当たりする状態に維持されてしまうことが抑制されるようになっている。
【０００４】
ところで、こうした電気かみそりにあっては、その作動音によって使用者に不快感を与えるおそれがある。これに対して、従来、例えば特許文献２に記載の電気かみそりでは、モータの回転出力を往復直線運動に変換する偏心カム及び振動子を収容する伝動室の内壁に弾性被膜層を形成するようにしている。これにより、偏心カムや振動子の作動音の音圧を低減するようにしている。
【先行技術文献】
【特許文献】
【０００５】
【特許文献１】特開２００８―１４２２７４号公報
【特許文献２】特開昭６３−３１８９８８号公報
【発明の概要】
【発明が解決しようとする課題】
【０００６】
ところで、上述したように、電気かみそりから生じる作動音についてその音圧を低減することにより使用者に与える不快感をある程度は低減することができるようになる。しかしながら、電気かみそりの作動音には、使用者が不快に感じる周波数域とそうでない周波数域とが存在することから、このことを考慮することなく単に作動音の音圧レベルを低減する従来の電気かみそりにあっては、使用者に与える不快感を的確に低減する上では、尚、改善の余地を残すものとなっている。
【０００７】
本発明は、こうした実情に鑑みてなされたものであり、その目的は、作動音に起因して使用者に与える不快感を的確に低減することのできる電気かみそりを提供することにある。
【課題を解決するための手段】
【０００８】
以下、上記課題を解決するための手段及びその作用効果について記載する。
本発明に係る電気かみそりは、複数の刃片が所定方向に沿って列設される内刃部と、前記内刃部をその外側から覆うように設けられる外刃部と、前記内刃部を前記外刃部に向けて付勢する付勢部と、前記内刃部を挟んで前記外刃部とは反対側から同内刃部を所定の自由度をもって揺動可能に支持する支持部と、前記支持部を介して前記内刃部を前記所定方向に往復動させる駆動部とを備える電気かみそりにおいて、前記内刃部及び前記外刃部の少なくとも一方に、前記支持部により許容される前記内刃部の揺動に起因して前記内刃部と前記外刃部とが局所的に干渉する場合に生じる干渉音の圧力を低減する音圧低減部が形成されてなることを特徴としている。
【０００９】
この電気かみそりにおいて、前記支持部は前記所定方向における前記内刃部の中央位置にて同内刃部を支持してなるといった態様を採用することが好ましい。
またこの電気かみそりにおいて、前記音圧低減部は、前記内刃部及び外刃部の少なくとも一方に形成されて前記外刃部に対する前記内刃部の干渉を逃がす逃がし部とされてなるといった態様を採用することが好ましい。
【００１０】
またこの電気かみそりにおいて、前記逃がし部は、前記内刃部の前記所定方向における一端に形成されて前記外刃部の内周から離間する方向に偏倚してなるといった態様を採用することが好ましい。
【００１１】
またこの電気かみそりにおいて、前記内刃部は、前記複数の刃片が前記所定方向において互いに等距離間隔にて設けられるとともに、その一端に位置する刃片の同所定方向における幅が他の刃片に比べて小さくされるものであり、前記逃がし部は、該一端に位置する刃片により構成されてなるといった態様を採用することが好ましい。
【００１２】
またこの電気かみそりにおいて、前記外刃部の内周及び前記内刃部の外周は前記所定方向において湾曲した形状を有するとともに、前記外刃部の内周の曲率半径は前記内刃部の外周の曲率半径よりも大きくされるものであり、前記内刃部は、前記所定方向における一端を含む外周の曲率半径が中央部を含む他の外周の曲率半径よりも小さくされるものであり、前記逃がし部は、該一端を含む外周により構成されてなるといった態様を採用することが好ましい。
【００１３】
またこの電気かみそりにおいて、前記逃がし部は、前記外刃部の内周であって前記内刃部の前記所定方向における一端に対応する部位に形成されて前記内刃部の外周から離間する方向に偏倚してなるといった態様を採用することが好ましい。
【００１４】
この電気かみそりにおいて、前記音圧低減部は、前記内刃部及び外刃部の少なくとも一方において前記外刃部或いは前記内刃部が干渉する部位に形成されて該干渉による衝撃力を吸収する吸収部とされてなるといった態様を採用することが好ましい。
【００１５】
またこの電気かみそりにおいて、前記吸収部は、前記内刃部の前記所定方向における一端が他の部位に比べて低剛性の材料にて形成されてなるといった態様を採用することが好ましい。
【００１６】
またこの電気かみそりにおいて、前記内刃部は、前記複数の刃片のうち前記所定方向における一端に位置する刃片が他の刃片に比べて低剛性の材料にて形成されるものであり、前記吸収部は、該一端に位置する刃片により構成されてなるといった態様を採用することが好ましい。
【００１７】
またこの電気かみそりにおいて、前記吸収部は、前記外刃部の内周において前記内刃部の前記所定方向における一端に対応する部位が他の部位に比べて低剛性の材料にて形成されてなるといった態様を採用することが好ましい。
【００１８】
またこの電気かみそりにおいて、前記外刃部は、その内周において前記内刃部の前記所定方向における一端に対応する部位に凹部が形成される外刃部本体と、同外刃部本体に比べて低剛性の材料により形成されて同凹部内に設けられる低剛性部とを有するものであり、前記吸収部は、前記低剛性部により構成されてなるといった態様を採用することが好ましい。
【００１９】
この電気かみそりにおいて、前記音圧低減部は、前記内刃部及び外刃部の少なくとも一方に設けられて前記内刃部と前記外刃部との干渉に伴い生じる振動の伝播を制限する制振部とされてなるといった態様を採用することが好ましい。
【００２０】
またこの電気かみそりにおいて、前記制振部は、前記内刃部に設けられる部材であって同内刃部に比べて低剛性の材料にて形成されてなるといった態様を採用することが好ましい。
【００２１】
またこの電気かみそりにおいて、前記内刃部は、前記複数の刃片のうち前記所定方向における一端に位置する刃片に比べて低剛性の部材が同刃片に連結されるものであり、前記制振部は、該一端に位置する刃片に連結される低剛性部材により構成されてなるといった態様を採用することが好ましい。
【００２２】
またこの電気かみそりにおいて、前記制振部は、前記外刃部に設けられてなる部材であって同外刃部に比べて低剛性の材料にて形成されてなるといった態様を採用することが好ましい。
【発明の効果】
【００２３】
本発明によれば、作動音に起因して使用者に与える不快感を的確に低減することのできる電気かみそりを提供することができる。
【図面の簡単な説明】
【００２４】
【図１】本発明に係る電気かみそりの第１実施形態について、電気かみそりの斜視構造を示す斜視図。
【図２】第１実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図３】第２実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図４】第３実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図５】第４実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図６】第５実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図７】第６実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図８】第７実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図９】第８実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【図１０】第９実施形態の電気かみそりについて、外刃部及び内刃部を中心とした縦断面構造を示す断面図であって、（ａ）内刃部が中立位置にある状態を示す断面図、（ｂ）内刃部が往復振動範囲の一端にある状態を示す断面図。
【発明を実施するための形態】
【００２５】
＜第１実施形態＞
以下、図１及び図２を参照して本発明に係る電気かみそりを髭用電気かみそりとして具体化した第１実施形態について説明する。
【００２６】
図１に、本実施形態の電気かみそりの斜視構造を示す。
図１に示すように、電気かみそり１は、使用者が把持可能な把持部２と、同把持部２の一端に連結されるとともに複数の刃ブロック３〜５を有するヘッド部６とを備えている。
【００２７】
尚、以降においては、電気かみそり１の剃り方向を「前後方向Ｘ」と称し、前後方向Ｘに直交する方向であって刃ブロック３〜５の延びる方向を「幅方向Ｙ」と称し、これら前後方向Ｘ及び幅方向Ｙの双方に直交する方向を「上下方向Ｚ」と称する。また、幅方向Ｙが本発明における所定方向に相当する。
【００２８】
第１の刃ブロック３及び第２の刃ブロック４は、網目状の外刃部３１，４１をそれぞれ有している。第３の刃ブロック５は、第１の刃ブロック３及び第２の刃ブロック４の間に位置するとともに、スリット状の外刃部５１を有している。これら３つの刃ブロック３〜５がヘッド部６の頂部において前後方向に並設されており、所謂、３枚刃の電気かみそり１として構成されている。
【００２９】
ヘッド部６の内部には、内刃部３５，４５，５５が外刃部３１，４１，５１に対応して設けられている。また、これら内刃部３５，４５，５５を幅方向に往復振動させるためのリニアモータ７が設けられている。また、把持部２の内部には、リニアモータ７に対して給電を行なうためのバッテリ（図示略）が設けられている。そして、把持部２の外側面に設けられる操作スイッチ８をオン操作すると、バッテリから給電が行なわれることで、リニアモータ７が作動する。そして、リニアモータ７により内刃部３５，４５，５５が往復振動する際に、外刃部３１，４１，５１内に導入された髭を、内刃部３５，４５，５５をそれぞれ構成する刃片によって挟むことで該髭が切除される。ちなみに、本実施形態では、１分間に１４０００回往復振動するものとなっている。
【００３０】
次に、図２を参照して、第１の刃ブロック３及び第２の刃ブロック４の断面構造について説明する。
図２に、第１の刃ブロック３の縦断面構造を示す。尚、図２（ａ）は、内刃部３５が中立位置にある状態を示しており、図２（ｂ）は、内刃部３５がその往復振動範囲における一端にある状態を示している。また、図２において、外刃部３１の幅方向Ｙにおける中心線を一点鎖線Ｃ１にて示し、内刃部３５の幅方向Ｙにおける中心線を二点鎖線Ｃ２にて示す。また、第２の刃ブロック４は第１の刃ブロック３と基本的には同一の構造を有しているため、第１の刃ブロック３の説明をすることで第２の刃ブロック４の説明については割愛する。
【００３１】
図２（ａ）に示すように、内刃部３５は、略Ｕ字状をなす複数の刃片３６が幅方向Ｙに沿って互いに等距離間隔にて列設されてなり、これら刃片３６は基端部３８において互いに連結されている。また、外刃部３１は内刃部３５を外側から覆う形状を有している。また、外刃部３１の内周及び内刃部３５の外周は幅方向Ｙにおいてそれぞれ湾曲している。具体的には、内刃部３５の外周の曲率半径Ｒ２は、外刃部３１の内周の曲率半径Ｒ１よりも小さくされている。すなわち、内刃部３５の複数の刃片３６はその先端が、円弧上に位置するものとなっている。
【００３２】
また、内刃部３５とリニアモータ７の出力部との間であって幅方向Ｙにおける内刃部３５の中央位置には支持部３３が介設されており、内刃部３５を所定の自由度をもって揺動可能に支持している。具体的には、幅方向Ｙ及び上下方向Ｚの双方に平行な平面上に沿って揺動可能に支持されている。また、支持部３３と内刃部３５との間には、内刃部３５を上方に向けて、すなわち外刃部３１に向けて付勢するためのばね３２が設けられている。ばね３２の付勢力により、内刃部３５の外周と外刃部３１の内周とを近接した状態に維持することで、より短い髭の切断を可能としている。また、内刃部３５は支持部３３により所定の自由度をもって揺動可能に支持されているため、外刃部３１の内周に対して内刃部３５の外周が片当たりする状態に維持されてしまうことが抑制されるようになっている。
【００３３】
ところで、図２（ｂ）に示すように、リニアモータ７により内刃部３５が往復動すると、これに伴い内刃部３５が揺動してその一端（この場合、左端）が外刃部３１の内周に干渉することとなる。特に、本実施形態では、幅方向Ｙにおける内刃部３５の中央位置にて支持部３３により内刃部３５が支持されている。このため、特に、内刃部３５が往復動する際に、内刃部３５が上記中央位置を中心として揺動することから、その一端が外刃部３１の内周に干渉するといった現象の発生が顕著となる。ここで、内刃部３５及び外刃部３１は共にステンレス鋼、すなわち高剛性の材料により形成されていることから、これらが干渉することで高い周波数の音、所謂甲高い音が発生することとなる。今回、電気かみそり１から生じる作動音のうちで、こうした高周波成分の音圧が相対的に大きい場合には、使用者に大きな不快感を与えることが発明者によって見出された。
【００３４】
そこで、本実施形態では、図２（ａ），（ｂ）に併せ示すように、内刃部３５の幅方向Ｙにおける両端に刃片を設けない欠刃部３７を形成するようにしている。すなわち、欠刃部３７は、内刃部３５の幅方向Ｙにおける両端に形成されて外刃部３１の内周から離間する方向に偏倚しており、外刃部３１に対する内刃部３５の干渉を逃がすように機能する。
【００３５】
尚、ばね３２が本発明に係る付勢部に相当し、リニアモータ７が本発明に係る駆動部に相当する。また、欠刃部３７が本発明に係る逃がし部（音圧低減部）に相当する。
以上説明した本実施形態に係る電気かみそりによれば、以下に示す作用効果が得られるようになる。
【００３６】
（１）本実施形態では、内刃部３５の幅方向Ｙにおける両端に刃片を設けない欠刃部３７を形成するようにしている。すなわち、欠刃部３７は、内刃部３５の幅方向Ｙにおける両端に形成されて外刃部３１の内周から離間する方向に偏倚しており、外刃部３１に対する内刃部３５の干渉を逃がすように機能する（図２（ｂ）参照）。これにより、内刃部３５と外刃部３１とが局所的に干渉すること自体を抑制することができ、内刃部３５と外刃部３１とが局所的に干渉する場合に生じる音の圧力を低減することが容易にできるようになる。従って、作動音に起因して使用者に与える不快感を的確に低減することができるようになる。
＜第２実施形態＞
以下、図３を参照して本発明に係る電気かみそりの第２実施形態について説明する。
【００３７】
本実施形態では、内刃部２３５の幅方向Ｙにおける両端には刃片２３６ａを設けるが、その刃片２３６ａの上下方向Ｚにおける長さを短くすることで段差構造を有するものとしている点が先の第１実施形態と異なっている。また、その他の構成については先の第１実施形態の構成と同一であるため重複する説明については割愛する。
【００３８】
図３に、第１の刃ブロック２０３の縦断面構造を示す。尚、図３（ａ）は、内刃部２３５が中立位置にある状態を示しており、図３（ｂ）は、内刃部２３５がその往復振動範囲における一端にある状態を示している。
【００３９】
図３に示すように、内刃部２３５の複数の刃片２３６のうち幅方向Ｙにおける両端に位置する刃片２３６ａ以外の刃片２３６ｂはその先端が、円弧上に位置するものとなっている。ただし、上記両端に位置する刃片２３６ａはその先端が、上記円弧上よりも下方に位置している。これにより、内刃部２３５は幅方向Ｙにおける両端に段差構造を有するものとなっている。
【００４０】
尚、上記両端に位置する刃片２３６ａが本発明に係る逃がし部（音圧低減部）に相当する。
以上説明した本実施形態に係る電気かみそりによれば、以下に示す作用効果が得られるようになる。
【００４１】
（２）本実施形態では、内刃部２３５の複数の刃片２３６のうち幅方向Ｙにおける両端に位置する刃片２３６ａ以外の刃片２３６ｂはその先端が、円弧上に位置するものとする一方、上記両端に位置する刃片２３６ａはその先端が、上記円弧上よりも下方に位置するものとしている。すなわち、上記両端に位置する刃片２３６ａは、内刃部２３５の幅方向Ｙにおける両端に形成されて外刃部３１の内周から離間する方向に偏倚しており、外刃部３１に対する内刃部２３５の干渉を逃がすように機能する（図３（ｂ）参照）。従って、先の第１実施形態の作用効果（１）に準じた作用効果を奏することができるようになる。
＜第３実施形態＞
以下、図４を参照して本発明に係る電気かみそりの第３実施形態について説明する。
【００４２】
本実施形態では、内刃部３３５の複数の刃片３３６全てについてこれらの先端が同一の円弧上に位置するものとしているが、幅方向Ｙにおける両端に位置する刃片３３６ａの幅方向Ｙにおける幅を他の刃片３３６ｂの幅に比べて小さくしている点が先の第２実施形態と異なっている。また、その他の構成については先の第１実施形態の構成と同一であるため重複する説明については割愛する。
【００４３】
図４に、第１の刃ブロック３０３の縦断面構造を示す。尚、図４（ａ）は、内刃部３３５が中立位置にある状態を示しており、図４（ｂ）は、内刃部３３５がその往復振動範囲における一端にある状態を示している。
【００４４】
図４（ａ）に示すように、内刃部３３５の複数の刃片３３６は、幅方向Ｙにおいて互いに等距離間隔にて設けられている。また、幅方向Ｙにおいて両端に位置する刃片３３６ａ以外の刃片３３６ｂは、幅方向Ｙにおける幅が同一の大きさＷ２とされている。これに対して、幅方向Ｙにおいて両端に位置する刃片３３６ａは、幅方向Ｙにおける幅Ｗ１が上記大きさＷ２よりも小さくされている（Ｗ１＜Ｗ２）。具体的には、上記両端に位置する刃片３３６ａの幅Ｗ１は、他の刃片３３６ｂの幅Ｗ２の略１／２倍の大きさとなっている。
【００４５】
尚、上記両端に位置する刃片３３６ａが本発明に係る逃がし部（音圧低減部）に相当する。
以上説明した本実施形態に係る電気かみそりによれば、以下に示す作用効果が得られるようになる。
【００４６】
（３）本実施形態では、内刃部３３５は、複数の刃片３３６が幅方向Ｙにおいて互いに等距離間隔にて設けられるとともに、その両端に位置する刃片３３６ａの幅方向Ｙにおける幅Ｗ１が他の刃片の幅Ｗ２に比べて小さくされるものとしている。これにより、例えば幅方向Ｙの両端に位置する刃片の幅が他の刃片と同一とされる従来一般の構成とは異なり、該両端に位置する刃片の幅が小さくされている分だけ、外刃部３１に対する内刃部３３５の干渉を逃がすことができるようになる（図４（ｂ）参照）。従って、先の第１実施形態の作用効果（１）に準じた作用効果を奏することができるようになる。
＜第４実施形態＞
以下、図５を参照して本発明に係る電気かみそりの第４実施形態について説明する。
【００４７】
本実施形態では、内刃部４３５の幅方向Ｙにおける両端を含む外周の曲率半径Ｒ３が中央部を含む他の外周の曲率半径Ｒ２よりも小さくされる点が先の第２実施形態と異なっている。また、その他の構成については先の第１実施形態の構成と同一であるため重複する説明については割愛する。
【００４８】
図５に、第１の刃ブロック４０３の縦断面構造を示す。尚、図５（ａ）は、内刃部４３５が中立位置にある状態を示しており、図５（ｂ）は、内刃部４３５がその往復振動範囲における一端にある状態を示している。
【００４９】
図５（ａ）に示すように、外刃部３１の内周及び内刃部４３５の外周は幅方向Ｙにおいて湾曲した形状を有している。ここで、外刃部３１の内周の曲率半径Ｒ１は内刃部４３５の外周の曲率半径よりも大きくされている。ここで、内刃部４３５の外周は、幅方向Ｙにおける位置に応じて２つの曲率半径を有している。具体的には、幅方向Ｙにおいて両端及び同両端の内側に隣接する刃片３３６ａは、それらの先端がそれぞれ曲率半径Ｒ３の円弧状に位置している。また、その他の刃片３３６ｂ、すなわち、幅方向Ｙにおいて中央部を含む他の刃片３３６ｂは、上記曲率半径Ｒ３よりも大きい曲率半径Ｒ２上に位置している（Ｒ３＜Ｒ２＜Ｒ１）。
【００５０】
尚、刃片４３６ａが本発明に係る逃がし部（音圧低減部）に相当する。
以上説明した本実施形態に係る電気かみそりによれば、以下に示す作用効果が得られるようになる。
【００５１】
（４）本実施形態では、外刃部３１の内周及び内刃部４３５の外周は幅方向Ｙにおいて湾曲した形状を有するとともに、外刃部３１の内周の曲率半径Ｒ１は内刃部４３５の外周の曲率半径よりも大きくされるものとした。また、内刃部４３５は、幅方向Ｙにおける両端を含む外周の曲率半径Ｒ３が中央部を含む他の外周の曲率半径Ｒ２よりも小さくされるものとした。これにより、例えば内刃部の外周全体を同一の曲率半径Ｒ２とする従来一般の構成とは異なり、該両端を含む外周の曲率半径Ｒ３が小さくされている分だけ、外刃部３１に対する内刃部４３５の干渉を逃がすことができるようになる（図５（ｂ）参照）。従って、先の第１実施形態の作用効果（１）に準じた作用効果を奏することができるようになる。
＜第５実施形態＞
以下、図６を参照して本発明に係る電気かみそりの第５実施形態について説明する。
【００５２】
本実施形態では、外刃部５３１の内周に内刃部５３５との干渉を逃がす逃がし溝５３４が形成されている点が先の第１〜５実施形態と異なっている。また、その他の構成については先の第１実施形態の構成と同一であるため重複する説明については割愛する。
【００５３】
図６に、第１の刃ブロック５０３の縦断面構造を示す。尚、図６（ａ）は、内刃部５３５が中立位置にある状態を示しており、図６（ｂ）は、内刃部５３５がその往復振動範囲における一端にある状態を示している。
【００５４】
図６（ａ）に示すように、外刃部５３１の内周及び内刃部５３５の外周は幅方向Ｙにおいて湾曲した形状を有している。ここで、外刃部５３１の内周の曲率半径Ｒ１は内刃部４３５の外周の曲率半径Ｒ２よりも大きくされている。ここで、外刃部５３１の内周面において内刃部５３５の幅方向Ｙにおける両端に対応する部位には、逃がし溝５３４が形成されている。
【００５５】
尚、逃がし溝５３４が本発明に係る逃がし部（音圧低減部）に相当する。
以上説明した本実施形態に係る電気かみそりによれば、以下に示す作用効果が得られるようになる。
【００５６】
（５）本実施形態では、外刃部５３１の内周であって内刃部５３５の幅方向Ｙにおける両端に対応する部位に逃がし溝５３４を形成するようにしている。すなわち、逃がし溝５３４は、内刃部５３５の外周から離間する方向に偏倚しており、外刃部５３１に対する内刃部５３５の干渉を逃がすように機能する（図６（ｂ）参照）。これにより、内刃部５３５と外刃部５３１とが局所的に干渉すること自体を抑制することができ、内刃部３５と外刃部３１とが局所的に干渉する場合に生じる音の圧力を低減することが容易にできるようになる。従って、作動音に起因して使用者に与える不快感を的確に低減することができるようになる。
＜第６実施形態＞
以下、図７を参照して本発明に係る電気かみそりの第６実施形態について説明する。
【００５７】
本実施形態では、外刃部３１は先の第１実施形態と同一であるが、内刃部６３５を構成する複数の刃片６３６のうち幅方向Ｙにおける両端に位置する刃片６３６ａが他の刃片６３６ｂに比べて低剛性の材料にて形成されている点が先の第５実施形態と異なっている。また、その他の構成については先の第１実施形態の構成と同一であるため重複する説明については割愛する。
【００５８】
図７に、第１の刃ブロック６０３の縦断面構造を示す。尚、図７（ａ）は、内刃部６３５が中立位置にある状態を示しており、図７（ｂ）は、内刃部６３５がその往復振動範囲における一端にある状態を示している。
【００５９】
図７（ａ）に示すように、内刃部６３５は、複数の刃片６３６のうち幅方向Ｙにおける両端に位置する刃片６３６ａがアルミニウム合金により形成されている。また、上記両端に位置する刃片６３６ａ以外の他の刃片６３６ｂはステンレス綱により形成されている。すなわち、上記両端に位置する刃片６３６ａは、他の刃片６３６ｂに比べて低剛性の材料にて形成されている。
【００６０】
尚、上記両端に位置する刃片６３６が本発明に係る吸収部（音圧低減部）に相当する。
以上説明した本実施形態に係る電気かみそりによれば、以下に示す作用効果が得られるようになる。
【００６１】
（６）本実施形態では、内刃部６３５は、複数の刃片６３６のうち幅方向Ｙにおける両端に位置する刃片６３６ａが他の刃片６３６ｂに比べて低剛性の材料にて形成されるものとしている。このため、例えば上記両端に位置する刃片の材質を他の刃片と同一とする従来一般の構成とは異なり、上記両端に位置する刃片６３６ａを通じて、外刃部３１との干渉による衝撃力が好適に吸収されるようになる（図７（ｂ）参照）。これにより、内刃部６３５と外刃部３１とが局所的に干渉する場合に生じる音の圧力を低減することが容易にできるようになる。従って、作動音に起因して使用者に与える不快感を的確に低減することができるようになる。
＜第７実施形態＞
以下、図８を参照して本発明に係る電気かみそりの第７実施形態について説明する。
【００６２】
本実施形態では、内刃部５３５は先の第５実施形態と同一であるが、外刃部７３１に後述する低剛性部７３４ａを設けている点が先の第５実施形態と異なっている。また、その他の構成については先の第１実施形態の構成と同一であるため重複する説明については割愛する。
【００６３】
図８に、第１の刃ブロック７０３の縦断面構造を示す。尚、図８（ａ）は、内刃部５３５が中立位置にある状態を示しており、図８（ｂ）は、内刃部５３５がその往復振動範囲における一端にある状態を示している。
【００６４】
図８（ａ）に示すように、外刃部７３１を構成する外刃部本体７３１ａは基本的には先の第５実施形態にて示した外刃部５３１と同一の形状を有している。すなわち、外刃部本体７３１ａの内周面において内刃部５３５の幅方向Ｙにおける両端に対応する部位には、凹溝７３４が形成されている。また、これら凹溝７３４には、外刃部本体７３１ａの材料であるステンレス鋼よりも低剛性のアルミニウム合金からなる低剛性部７３４ａが一体に設けられている。
【００６５】
尚、凹溝７３４が本発明に係る凹部に相当する。
以上説明した本実施形態に係る電気かみそりによれば、以下に示す作用効果が得られるようになる。
【００６６】
（７）本実施形態では、外刃部７３１は、その内周において内刃部５３５の幅方向Ｙにおける両端に対応する部位に凹溝７３４が形成される外刃部本体７３１ａと、同外刃部本体７３１ａに比べて低剛性の材料により形成されて同凹溝内に設けられる低剛性部７３４ａとを有するものとしている。このため、例えば外刃部全体を同一の材料にて形成する従来一般の構成とは異なり、低剛性部７３４ａを通じて、内刃部５３５との干渉による衝撃力が好適に吸収されるようになる（図８（ｂ）参照）。これにより、内刃部６３５と外刃部３１とが局所的に干渉する場合に生じる音の圧力を低減することが容易にできるようになる。従って、作動音に起因して使用者に与える不快感を的確に低減することができるようになる。
＜第８実施形態＞
以下、図９を参照して本発明に係る電気かみそりの第８実施形態について説明する。
【００６７】
本実施形態では、外刃部３１は先の第１実施形態と同一であるが、内刃部８３５を構成する刃片８３６ａに後述する補強部材８３９を設けている点が先の第５実施形態と異なっている。また、その他の構成については先の第１実施形態の構成と同一であるため重複する説明については割愛する。
【００６８】
図９に、第１の刃ブロック８０３の縦断面構造を示す。尚、図８（ａ）は、内刃部８３５が中立位置にある状態を示しており、図８（ｂ）は、内刃部８３５がその往復振動範囲における一端にある状態を示している。
【００６９】
図９（ａ）に示すように、内刃部８３５は基本的には先の第５実施形態にて示した内刃部５３５と同一の形状を有している。ここで、内刃部８３５を構成する複数の刃片８３６は全てステンレス鋼により形成されている。ただし、これら刃片８３６のうち幅方向Ｙにおける両端に位置する刃片８３６ａには、それらの基端側に樹脂材料からなる補強部材８３９が連結されている。すなわち、上記両端に位置する刃片８３６ａには同刃片８３６ａに比べて低剛性の補強部材８３９が連結されている。ちなみに、樹脂材料としては、例えばゴム材料を挙げることができる。
【００７０】
尚、補強部材８３９が本発明に係る低剛性部材（制振部、音圧低減部）に相当する。
以上説明した本実施形態に係る電気かみそりによれば、以下に示す作用効果が得られるようになる。
【００７１】
（８）本実施形態では、内刃部８３５は、複数の刃片８３６のうち幅方向Ｙにおける両端に位置する刃片８３６ａに比べて低剛性の補強部材８３９が同刃片８３６ａに連結されるものとしている。これにより、上記両端に位置する刃片８３６ａに設けられる補強部材８３９を通じて、内刃部８３５と外刃部３１との干渉に伴い生じる振動の伝播が制限される（図９（ｂ）参照）。これにより、内刃部８３５と外刃部３１とが局所的に干渉する場合に生じる音の圧力を低減することが容易にできるようになる。従って、作動音に起因して使用者に与える不快感を的確に低減することができるようになる。
＜第９実施形態＞
以下、図１０を参照して本発明に係る電気かみそりの第９実施形態について説明する。
【００７２】
本実施形態では、内刃部５３５は先の第５実施形態と同一であるが、外刃部９３１に後述する補強部材９３４を設けている点が先の第１実施形態と異なっている。また、その他の構成については先の第１実施形態の構成と同一であるため重複する説明については割愛する。
【００７３】
図１０に、第１の刃ブロック９０３の縦断面構造を示す。尚、図９（ａ）は、内刃部５３５が中立位置にある状態を示しており、図９（ｂ）は、内刃部５３５がその往復振動範囲における一端にある状態を示している。
【００７４】
図１０（ａ）に示すように、外刃部９３１は基本的には先の第１実施形態にて示した外刃部３１と同一の形状を有している。ここで、外刃部９３１はステンレス鋼により形成されている。ただし、外刃部９３１の外側部であって幅方向Ｙにおける両端部に、樹脂材料からなる補強部材９３４が一体に設けられている。すなわち、外刃部９３１には同外刃部９３１に比べて低剛性の材料にて形成される補強部材９３４が設けられている。ちなみに、樹脂材料としては、例えばゴム材料を挙げることができる。
【００７５】
尚、補強部材９３４が本発明に係る制振部（音圧低減部）に相当する。
以上説明した本実施形態に係る電気かみそりによれば、以下に示す作用効果が得られるようになる。
【００７６】
（９）本実施形態では、外刃部９３１の外側部であって幅方向Ｙにおける両端部に、外刃部９３１に比べて低剛性の材料にて形成される補強部材９３４が設けられる。これにより、外刃部９３１に設けられる補強部材９３４を通じて、内刃部５３５と外刃部９３１との干渉に伴い生じる振動の伝播が制限される（図１０（ｂ）参照）。これにより、内刃部５３５と外刃部９３１とが局所的に干渉する場合に生じる音の圧力を低減することが容易にできるようになる。従って、作動音に起因して使用者に与える不快感を的確に低減することができるようになる。
【００７７】
尚、本発明に係る電気かみそりは、上記実施形態にて例示した構成に限定されるものではなく、これを適宜変更した例えば次のような形態として実施することもできる。
・上記各実施形態では、３枚刃の電気かみそり１について例示したが、本発明はこれに限られるものではなく、１枚刃、２枚刃、或いは４枚刃以上の電気かみそりに対して適用可能である。
【００７８】
・上記実施形態では、網目状の外刃部３１を備える第１の刃ブロック３について例示したが、本発明はこれに限られるものではなく、スリット状の外刃部を備える刃ブロックに対しても本発明を適用することができる。
【００７９】
・図７において示した刃片６３６ａをアルミニウム合金に代えて他の合金や金属によって形成することもできる。要するに、ステンレス鋼よりも低剛性の材料であればよい。また、これを樹脂材料にて形成するようにしてもよい。また、図８において示した低剛性部７３４ａについても同様である。
【００８０】
・図９において示した補強部材８３９をゴム材料に代えてその他の樹脂材料、例えばプラスチック材料にて形成することもできる。また、図１０において示した補強部材９３４についても同様である。
【００８１】
・上記各実施形態では、内刃部或いは外刃部を中心線Ｃ２或いはＣ１を中心にそれぞれ左右対称の形状とした。すなわち、本発明に係る音圧低減部を幅方向Ｙにおける両端にそれぞれ同一の態様にて設けるようにした。しかしながら、本発明はこれに限られるものではなく、上記各実施形態にて例示した音圧低減部を適宜組み合わせるようにしてもよい。
【００８２】
・上記各実施形態では、幅方向Ｙにおける内刃部の中央位置にて支持部３３により内刃部を支持する構成について例示したが、本発明に係る内刃部の支持構造はこれに限定されるものではなく、例えば内刃部の中央位置を挟む複数位置にて内刃部を支持するものであってもよい。要するに、内刃部を所定の自由度をもって揺動可能に支持するものであればよい。
【００８３】
・リニアモータ７に代えて回転モータを採用することもできる。この場合、回転モータの出力軸の回転を往復直線運動に変換する変換機構を採用するようにすればよい。
・上記各実施形態では、外刃部の内周と内刃部の外周とが幅方向Ｙにおいて湾曲した形状を有するものについて例示したが、本発明はこれに限られるものではなく、外刃部の内周と内刃部の外周とが幅方向Ｙに沿った、所謂ストレート型の電気かみそりに対して本発明を適用することはできる。
【００８４】
・上記各実施形態では、内刃部と外刃部とが局所的に干渉する場合に生じる音の圧力、すなわち電気かみそりの作動音のうちで比較的高周波成分の音圧を選択的に低減することで、使用者に与える不快感の低減を図るようにした。またこれに併せて、電気かみそりの作動音のうちで低周波成分の音圧を選択的に増大させるようにすれば、上記高周波成分の音圧が相対的に小さくなることから、作動音に起因して使用者に与える不快感を一層的確に低減することができるようになることが、発明者によって見出されている。ちなみにこの場合、低周波成分の音圧に起因する振動の伝播を選択的に増大させる上では、例えば電気かみそりのヘッド部を形成するハウジング等の部材についてその剛性分布を適宜設定することが望ましい。
【符号の説明】
【００８５】
１…電気かみそり、７…リニアモータ、８…操作スイッチ、３１，５３１，７３１，９３１…外刃部、７３１ａ…外刃部本体、３２…ばね、３３…支持部、５３４…逃がし溝、７３４…凹溝、９３４…補強部材、３５，２３５，３３５，４３５，５３５，６３５，８３５…内刃部、３６，２３６，２３６ａ，２３６ｂ，３３６，３３６ａ，３３６ｂ，４３６，４３６ａ，４３６ｂ，５３６，６３６，６３６ａ，６３６ｂ，８３６，８３６ａ，８３６ｂ…刃片、３７…欠刃部、３８，２３８，３３８，４３８，５３８，６３８，８３８…基端部、８３９…補強部材。
【図１】
2012065867.tif 000003
【図２】
2012065867.tif 000004
【図３】
2012065867.tif 000005
【図４】
2012065867.tif 000006
【図５】
2012065867.tif 000007
【図６】
2012065867.tif 000008
【図７】
2012065867.tif 000009
【図８】
2012065867.tif 000010
【図９】
2012065867.tif 000011
【図１０】
2012065867.tif 000012